(57)【要約】【課題】スライド操作からから素早く押しボタン操作に移ることができる押しボタンＳＷ機能を有するスライドＳＷ装置を提供する。【解決手段】ズームボタン９の突起９ｂを押してロックを解除し左にスライドさせるとズームボタンベース１０もバネ１０ｃに抗して左に移動し、コンタクトバー１５〜１８の接点が操作スイッチ基板の左のパターンの上に接しワイド側にズーミングが開始される。ズームボタン９を解放するとズームボタン９は元の位置に復帰しレリーズボタン５のスイッチ機能が有効となり、指をレリーズボタン５の上に移動してレリーズ操作することができる。右側にスライドさせた場合はテレ側ズーミングとなり、ズームボタン９を解放後はワイド側と同様な操作となる。【選択図】        図２
2004258448.tif 000002
【特許請求の範囲】
【請求項１】
左右方向にスライド可能なスライドボタンと、
前記スライドボタンに搭載され、該スライドボタンのスライド方向に対し、略直角方向に移動可能な押しボタンと、
前記スライドボタンが係合し、該スライドボタンの左右の動きに従動するスライドボタンベース部材と、
前記スライドボタンベースに搭載され、前記押しボタンの押し下げにより電気接点をスイッチ動作する押しボタンスイッチ手段と、
複数のパターンが形成された操作スイッチ基板と、
前記スライドボタンベース部材に取り付けられ、前記操作スイッチ基板上をスライドし前記パターン間を電気的に接続するコンタクトバー手段と、
前記スライドボタンベース部材を所定位置に保持し、前記スライドボタンが左右にスライドしたとき、前記所定位置に戻す付勢力を与える付勢手段とからなり、
前記スライドボタンを左または右にスライドさせたとき、前記コンタクトバー手段はそれぞれ前記操作スイッチ基板の複数のパターン間を電気的に接続し、前記スライドボタンが解放されて前記所定位置に復帰したとき、前記コンタクトバー手段は前記所定位置に対応したパターンの上に移動し、前記押しボタンスイッチのスイッチ動作を有効にすることを特徴とする押しボタンＳＷ機能を有するスライドＳＷ装置。
【請求項２】
ロックバネ手段を有し、
前記スライドボタンは該ロックバネ手段によりスライド方向に対し略直角方向に移動習性が与えられており、
前記スライドボタンが押されていない状態では、前記スライドボタンまたはロックバネ手段の一部が該スライドＳＷ装置が設置される筐体の一部に係合しており、
前記スライドボタンが押された場合には、前記係合が解かれて左右方向にスライド可能に構成したことを特徴とする請求項１記載の押しボタンＳＷ機能を有するスライドＳＷ装置。
【請求項３】
前記スライドボタンは突出部を有し、該突出部を前記スライドボタンベースに枢着することにより該突出部を支点に揺動可能とするとともにロックバネ手段を設け、
前記ロックバネ手段により前記スライドボタンの一端側を前記スライド方向に対し略直角方向に移動習性を与え、
前記スライドボタンの一端側が押されていない状態では、前記スライドボタンまたはロックバネ手段の一部が該スライドＳＷ装置が設置される筐体の一部に係合しており、
前記スライドボタンの一端側が押された場合には、前記係合が解かれて左右方向にスライド可能に構成したことを特徴とする請求項１記載の押しボタンＳＷ機能を有するスライドＳＷ装置。
【請求項４】
前記押しボタンはレリーズスイッチであり、前記スライドボタンはズームボタンであることを特徴とする請求項１，２または３記載の押しボタンＳＷ機能を有するスライドＳＷ装置。
【請求項５】
前記押しボタンＳＷ機能を有するスライドＳＷ装置を前記レリーズＳＷ機能を有するズームボタン装置として搭載したことを特徴とするカメラ。
【発明の詳細な説明】
【０００１】
【発明の属する技術分野】
本発明は、押しボタンＳＷ機能を有するスライドＳＷ装置、さらに詳しくいえばディジタルカメラなどのレリーズおよびズームボタンとして用いることができるレリーズＳＷ機能を有するズームボタン装置ならびに該ズームボタン装置を搭載したカメラに関する。
【０００２】
【従来の技術】
従来よりズームボタンはカメラ背面上部に、レリーズボタンはカメラ上面にそれぞれ配置されたものが多い。このようなカメラでは、ズームボタンは親指で操作されることとなる。
ズームボタン操作時，人指し指がレリーズに掛かっていれば、フレーミング後、直ぐに撮影に入ることができるようになっている。しかしながら実際の操作では、人指し指をカメラ前面に添えた方がズーム操作しやすい為、このように人指し指をカメラ前面に添えるユーザが多い。そのため、ファインダを覗いた状態では、手探りでレリーズボタンをさがすことになる。
【０００３】
図８にレリーズボタンおよび電動ズームボタンを同じ操作部材の上に設けた従来例（特許文献１）を示す。
この例は、レリーズボタンとズームボタンとを近接させてカメラ上面に設けたもので、仮想三角形状部（操作部材３０）の底辺両端にズームボタン３１，３２を、頂点付近にレリーズボタン３３をそれぞれ配置し、仮想三角形状部の中心部分を支点に各ボタンを押し込むようにしたものである。
ズーミングする場合、１つの操作部材３０の押圧する部分を置き換えて最焦点側と短焦点側への操作を行い、さらにシャッタレリーズする場合、さらに頂点側に置き換えることにより行っている。
【０００４】
この従来例はレリーズボタン操作した後，引き続きレリーズボタンをオンする操作性の向上は実現しているものの、操作スイッチの形状に起因する各ボタンの配置関係が三角形状の頂部付近であるため、操作性が十分ではないという問題が未だ残っている。すなわち、ズーム操作における最焦点側と短焦点側との間を移動する場合はその都度、指の位置を動かさなければならず、何れ側の焦点側に移動する場合でも、その方向に指の位置を移動した後に、指の押す方向を直角方向（下方向）に変えて初めてズーミングスイッチが入ることとなる。したがって、一方側の焦点位置に達してズーミング開始に到るまでには、指を動かす方向を途中で方向転換しなければならない。
また、最焦点側位置からレリーズボタンに移動する場合と短焦点側からレリーズボタンに移動する場合には、指を移動させる方向が異なっており、そのため、今、いずれ側の焦点側位置に指があるかを把握しておき、ズーミングが完了した後はその焦点側位置情報に基づいてレリーズボタン方向を決めることとなる。
【特許文献１】
昭和６３年特許願第２８５４９１号
【０００５】
【発明が解決しようとする課題】
以上の観点から、ズーミングからレリーズ操作を行う操作部材に改善の余地があり、素早い操作を可能とするズームボタンとレリーズボタン機能を備えた操作ボタン装置の実現が要請される。
本発明の目的は、円滑に、かつ素早くスライド操作から押しボタン操作に移ることができる使い勝手の良好な押しボタンＳＷ機能を有するスライドＳＷ装置を提供することにある。
本発明の他の目的は、上記スライドＳＷ装置をレリーズスイッチおよびズームスイッチとして適用したカメラを提供することにある。
【０００６】
【課題を解決するための手段】
前記目的を達成するために本発明は、左右方向にスライド可能なスライドボタンと、前記スライドボタンに搭載され、該スライドボタンのスライド方向に対し、略直角方向に移動可能な押しボタンと、前記スライドボタンが係合し、該スライドボタンの左右の動きに従動するスライドボタンベース部材と、前記スライドボタンベースに搭載され、前記押しボタンの押し下げにより電気接点をスイッチ動作する押しボタンスイッチ手段と、複数のパターンが形成された操作スイッチ基板と、前記スライドボタンベース部材に取り付けられ、前記操作スイッチ基板上をスライドし前記パターン間を電気的に接続するコンタクトバー手段と、前記スライドボタンベース部材を所定位置に保持し、前記スライドボタンが左右にスライドしたとき、前記所定位置に戻す付勢力を与える付勢手段とからなり、前記スライドボタンを左または右にスライドさせたとき、前記コンタクトバー手段はそれぞれ前記操作スイッチ基板の複数のパターン間を電気的に接続し、前記スライドボタンが解放されて前記所定位置に復帰したとき、前記コンタクトバー手段は前記所定位置に対応したパターンの上に移動し、前記押しボタンスイッチのスイッチ動作を有効にすることを特徴とする。
また、本発明は、請求項１記載の発明においてロックバネ手段を有し、前記スライドボタンは該ロックバネ手段によりスライド方向に対し略直角方向に移動習性が与えられており、前記スライドボタンが押されていない状態では、前記スライドボタンまたはロックバネ手段の一部が該スライドＳＷ装置が設置される筐体の一部に係合しており、前記スライドボタンが押された場合には、前記係合が解かれて左右方向にスライド可能に構成したことを特徴とする。
さらに本発明は、請求項１記載の発明において前記スライドボタンは突出部を有し、該突出部を前記スライドボタンベースに枢着することにより該突出部を支点に揺動可能とするとともにロックバネ手段を設け、前記ロックバネ手段により前記スライドボタンの一端側を前記スライド方向に対し略直角方向に移動習性を与え、前記スライドボタンの一端側が押されていない状態では、前記スライドボタンまたはロックバネ手段の一部が該スライドＳＷ装置が設置される筐体の一部に係合しており、前記スライドボタンの一端側が押された場合には、前記係合が解かれて左右方向にスライド可能に構成したことを特徴とする。
また、本発明は、請求項１，２または３記載の発明において前記押しボタンはレリーズスイッチであり、前記スライドボタンはズームボタンであることを特徴とする。  さらには本発明の他の目的を達成するために本発明によるカメラは前記押しボタンＳＷ機能を有するスライドＳＷ装置を前記レリーズＳＷ機能を有するズームボタン装置として搭載したことを特徴とする。
【０００７】
【作用】
上記構成によれば、何れのズーミング側に移動する場合でも指はズームボタン位置を動かすことなくズーミング方向にスライドさせ、ズーミング後のレリーズボタンへは決まった方向にのみ移動させるという円滑で素早い操作が可能となる。
【０００８】
【発明の実施の形態】
以下、図面を参照して本発明をさらに詳しく説明する。
図１は、本発明による押しボタンＳＷ機能を有するスライドＳＷ装置をレリーズＳＷ機能を有するズームボタンに適用したディジタルカメラの外観を示す斜視図である。
ディジタルカメラ１の上面右端（カメラを構えたユーザから見た場合）にズームボタン装置２が配置されている。ズームボタン装置２はズームボタン９の上にレリーズボタン５か搭載されており、ズームボタン９の上に人指し指を載せ左右にスライドさせることにより、ワイド側とテレ側にズーミングすることができる。ズーミング終了によってズームボタンの拘束を解除することにより、ズームボタン９はレリーズオン可能な位置に復帰し、人指し指をレリーズボタン５の上に移動してレリーズ操作することが可能となる。
【０００９】
図２は、図１のズームボタン装置の実施の形態を示す断面図で、カメラケース１３に組み立てた状態を示している。図３は、ズームボタン装置の分解斜視図、図４Ａおよび図４Ｂはズームボタンとズームボタンベースの組み立て状態を説明するための上面および下面斜視図である。
スランドボタンであるズームボタン９は、底面が平面で長方形状の丘陵形状であり、中央より左寄りにレリーズボタン５を収容するための孔９ｃを有している。また、中央部から右寄り表面に３つの筋状の突起９ｂを有し、人指し指を載せ左右にスライドさせたときの滑り止めとしている。突起９ｂの上に置く指の感触により、ズームボタンとレリーズボタンを認識することができる。ズームボタン９の底面に突堤状のズームボタン支点９ａが形成されている。
【００１０】
ズームボタンベース１０は板状であって、ズームボタン９の底面のズームボタン支点９ａを支持するためのズームボタン支点受け１０ａを有し、左右にはスライドボタンスプリング１１ａ，１１ｂに嵌合するためのスプリング支持部１０ｂ，１０ｃが設けられている。
ロックバネ１４は折り曲げられた板バネであり、上バネ部１４ｃ先端左右にはカメラケース１３の係合孔に係止するための係合部１４ａ，１４ｂが形成されている。
カメラケース１３にはズームボタン９を収容するズームボタン収容溝１３ｄが形成され、ズームボタン収容溝１３ｄの左右の寸法はズームボタン９を左右方向にスライドするためズームボタン９の長手方向より大きくなっている。さらにズームボタン収容溝１３ｄより少し小さいズームボタンベース収容孔１３ｃが連設されている。
【００１１】
ズームボタン９のズームボタンベース１０への組み込みは、ズームボタンベース１０の上にロックバネ１４を載せ、その上からズームボタン９を載せてズームボタン支点９ａをズームボタン支点受け１０ａに枢着させる。上バネ部１４ｃはズームボタン９の底面に接し、下バネ部１４ｄはズームボタンベース１０の上面に接した状態となり、ズームボタン９の突起９ｂの上に人指し指を載せて押すと、ズームボタン支点９ａを中心にズームボタン９の右側が上バネ部１４ｃに抗して沈み、離すと上昇する。
ズームボタンベース１０の上面にはレリーズスイッチ基板８が搭載され、レリーズスイッチ基板８上にレリーズスイッチ７が配置されている。
ズームボタン９の孔９ｃにはコイル状のレリーズスプリング６が挿入され、レリーズボタン５が装着される。レリーズボタン５はレリーズスプリング６によって上方向に付勢され、付勢力に抗して押し下げ可能である。レリーズボタン５の先端部５ａはレリーズスイッチ７に対面し、レリーズスイッチ７はレリーズボタン５の押し下げにより動作する。
【００１２】
ズームボタンベース１０は底面に操作スイッチ基板１２のパターン上を摺動するコンタクトバー１５〜１８を有している。
ズームボタンベース１０をカメラケース１３のズームボタンベース収容部１３ｃに組み込む場合、スプリング支持部１０ｂ，１０ｃにズームボタンスプリング１１ａ，１１ｂを嵌合し、ズームボタンスプリング１１ａ，１１ｂの他端をカメラケース１３の壁に突き当てる。このズームボタンスプリング１１ａ，１１ｂによりズームボタンベース１０は両側から付勢された状態となって中間位置に保持される。左右何れかにレリーズボタン５をスライドさせ、レリーズボタン５を解放（人指し指を離す）した場合、ズームボタンスプリング１１ａ，１１ｂによりズームボタンベース１０は元の中央位置に戻る。
【００１３】
ズームボタンベース１０のコンタクトバー１５〜１８の接点はカメラケース１３の基板取付部１３ａ，１３ｂに予め取り付けられている操作スイッチ基板１２のパターン面に接触した状態となり、レリーズボタン５をスライドさせた場合、操作スイッチ基板１２のパターン面を左右に摺動する。
【００１４】
図５はロックバネの機能を説明するための図である。
図５（ａ）はカメラケース１３のズームボタンベース収容孔１３ｃからロックバネ１４を覗いたものである。図５（ｂ），（ｃ）に示すようにズームボタンベース収容孔１３ｃの側壁に一対の係合溝１３ａ，１３ｂが形成され、この部分にロックバネ１４の係合部１４ａ，１４ｂが嵌合している。
ズームボタン９が押されると、図５（ｄ）に示す矢印方向からロックバネ１４が押されて図５（ｅ）に示すように係合溝１３ａ，１３ｂから係合部１４ａ，１４ｂが外れ、ズームボタン９は左右方向にスライド可能となる。
【００１５】
図６は、コンタクトバーおよびレリーズスイッチの例を示す図で、上から見たものである。
ズームボタンベース１０の底面に４本のコンタクトバー１５〜１８を埋め込んだ絶縁モールド部材１９が取り付けられており、コンタクトバー１５〜１８の先端部はコンタクト部１５ａ〜１８ａを有している。
コンタクトバー１５，１６の基部はレリーズスイッチ７のＧＮＤに接続されている。コンタクトバー１７および１８の基部はレリーズスイッチ７のＳ２  端子およびＳ１  端子にそれぞれ接続されている。レリーズスイッチ７を押すことにより、Ｓ１  端子およびＳ２  端子はレリーズスイッチ７内の他の端子にそれぞれ接続される。
【００１６】
図７は、操作スイッチ基板のパターン例を示す図である。
４つのコンタクトバー１５〜１８に対応して４つのパターン経路があり、１つ目のパターン経路はＧＮＤであり、ワイド位置，中央位置およびテレ位置すべてにパターン２１が連続して形成されている。２つ目のパターン経路はワイド操作するパターンとテレ操作するパターンであり、ワイド位置にはワイドパターン２２が形成され、テレ位置にはテレパターン２３が形成されている。
コンタクトバー１５ａおよび１６ａがパターン２１およひ２２の上に接触した状態でワイド側ズーミングが開始する。また、コンタクトバー１５ａおよび１６ａがパターン２１およひ２３の上に接触した状態でテレ側ズーミングが開始する。３つ目および４つ目のパターン経路はレリーズスイッチ７のＳ１  端子およびＳ２  端子に接続されたパターンであり、中央位置にレリーズパターン２４および２５が形成されている。コンタクトバーのコンタクト部１７ａおよび１８ａがこのレリーズパターン２４および２５の上に接触していると、レリーズスイッチ７のＳ１  端子およびＳ２  端子側はＧＮＤパターン２１に接続され、レリーズスイッチ７が動作可能状態となる。
【００１７】
図８Ａは、ズームボタンがワイド側およびテレ側に操作されたときのスイッチ接続状態を説明するための図である。
図８Ａ（ａ）はワイド位置までズームボタン９がスライドした状態であり、ＧＮＤパターン２１とワイドパターン２２は接続され、ワイド信号はＨレベルからＬレベルとなってワイド方向にズーミングが開始する。
図８Ａ（ｂ）はテレ位置までズームボタン９がスライドした状態であり、ＧＮＤパターン２１とテレパターン２３は接続され、テレ信号はＨレベルからＬレベルとなってテレ方向にズーミングが開始する。
【００１８】
図８Ｂは、レリーズボタンが操作されたときのスイッチの接続状態を説明するための図である。
図８Ｂ（ａ）は中央位置にズームボタン９が復帰した状態であり、ＧＮＤパターン２１とレリーズパターン２４および２５は接続され、レリーズ半押しによりレリーズスイッチのＳ１  信号はＨレベルからＬレベルとなってレリーズ半押し信号が発生する。
図８Ｂ（ｂ）は中央位置にズームボタン９が復帰した状態であり、ＧＮＤパターン２１とレリーズパターン２４および２５は接続され、レリーズ全押しによりレリーズスイッチのＳ２  信号はＨレベルからＬレベルとなってレリーズ全押し信号が発生する。
【００１９】
図９は、ズームボタンの操作を説明するための斜視図である。
図９（ａ）の状態において、図９（ｂ）に示すように人指し指２６をズームボタン９の上に載せ、少し押すと左右に移動可能となり、左側にスライドさせるだけでワイド側にズーミングが開始し、右側にスライドさせるだけでテレ側にズーミングが開始する。ズーミング終了した時点で、人指し指２６を図９（ｃ）に示すようにレリーズボタン５の位置まで移動させると、人指し指２６はズームボタン９から離れるので、ズームボタンは中央位置に復帰する。そしてレリーズボタン５を押してレリーズすることができる。
【００２０】
以上の実施の形態はディジタルカメラにレリーズＳＷ機能を有するズームボタン装置として適用した例を示したが、他の装置にも同様な機能を果たすスライドＳＷ装置として用いることができる。
また、実施の形態では、ロックバネの係合部がカメラケースの係合溝に嵌合した場合を示したが、ズームボタンの側面に突起部を設け、この部分をカメラケースの係合溝に係合させても良い。
さらに本発明では、ズームボタンベースに対し、ズームボタンが揺動するように構成し、支点を中心に一方側が付勢力に抗して沈む例を示したが、ズームボタンベースに対しズームボタン全体が沈むように構成し、ロックバネの係合部を解除するように構成したも良い。かかる場合にはズームボタンベースとズームボタンとを一体化した構造にする。
【００２１】
【発明の効果】
以上、説明したように本発明によれば、円滑に、かつ素早くスライド操作から押しボタン操作に移ることができる使い勝手の良好な押しボタンＳＷ機能を有するスライドＳＷ装置を実現できる。本装置をカメラのレリーズボタン機能付きズームボタンに用いれは、ズーミングからレリーズまでの操作性を向上させることができる。
また、本発明による押しボタンＳＷ機能を有するスライドＳＷ装置は他の装置にも応用が可能である。
【図面の簡単な説明】
【図１】本発明による押しボタンＳＷ機能を有するスライドＳＷ装置をレリーズＳＷ機能を有するズームボタンに適用したディジタルカメラの外観を示す斜視図である。
【図２】図１のズームボタン装置の実施の形態を示す断面図である。
【図３】ズームボタン装置の分解斜視図である。
【図４Ａ】ズームボタンとズームボタンベースの組み立て状態を説明するための上面斜視図である。
【図４Ｂ】ズームボタンとズームボタンベースの組み立て状態を説明するための下面斜視図である。
【図５】ロックバネの機能を説明するための図である。
【図６】コンタクトバーおよびレリーズスイッチの例を示す図である。
【図７】操作スイッチ基板のパターン例を示す図である。
【図８Ａ】ズームボタンがワイド側およびテレ側に操作されたときのスイッチ接続状態を説明するための図である。
【図８Ｂ】レリーズボタンが操作されたときのスイッチの接続状態を説明するための図である。
【図９】ズームボタンの操作を説明するための斜視図である。
【図１０】レリーズボタンおよび電動ズームボタンを同じ操作部材の上に設けた従来例を示すカメラの斜視図である。
【符号の説明】
１  ディジタルカメラ
２  ズームボタン装置
５  レリーズボタン
６  レリーズスプリング
７  レリーズスイッチ
８  レリーズスイッチ基板
９  ズームボタン（スライドボタン）
１０  ズームボタンベース（スライドボタンベース）
１１ａ，１１ｂ  ズームボタンスプリング
１２  操作スイッチ基板
１４  ロックバネ
１５〜１８  コンタクトバー
２１〜２５  パターン
２６  人指し指
【図１】
2004258448.tif 000003
【図２】
2004258448.tif 000004
【図３】
2004258448.tif 000005
【図４Ａ】
2004258448.tif 000006
【図４Ｂ】
2004258448.tif 000007
【図５】
2004258448.tif 000008
【図６】
2004258448.tif 000009
【図７】
2004258448.tif 000010
【図８Ａ】
2004258448.tif 000011
【図８Ｂ】
2004258448.tif 000012
【図９】
2004258448.tif 000013
【図１０】
2004258448.tif 000014